(57)【特許請求の範囲】
【請求項１】
パソコン本体に付加されたテレビ視聴制御装置であって、
映像を出力するモニタと、
テレビ信号を受信して映像信号を出力するＴＶチューナモジュールと、
前記ＴＶチューナモジュールから入力された映像信号を前記パソコン本体または前記モニタへ切り替えて映像信号を出力するビデオデコーダと、
少なくとも前記ＴＶチューナモジュールおよび前記ビデオデコーダに電源を供給するＴＶ電源制御部とを有し、
前記ＴＶ電源制御部から前記ビデオデコーダへ電源供給されると前記ビデオデコーダは前記パソコン本体の起動の有無を検出し、前記パソコン本体が起動されていない場合には映像信号を前記パソコン本体に送らず、映像信号を前記モニタに供給することを特徴とするテレビ視聴制御装置。
【請求項２】
音声を増幅するアンプと、
前記アンプに接続されたスピーカーと、
前記テレビ信号を受信して音声信号を出力するＴＶチューナモジュールと、
前記ＴＶチューナモジュールから入力された音声信号を前記パソコン本体または前記アンプへ切り替えて出力するサウンドデコーダと、
少なくとも前記サウンドデコーダに電源を供給するＴＶ電源制御部とを有し、
前記サウンドデコーダは、前記パソコン本体が起動されていない場合には音声信号を前記パソコン本体に送らず前記アンプに供給することを特徴とする請求項１に記載のテレビ視聴制御装置。
【請求項３】
前記ビデオデコーダにおける映像信号の切換え出力を外部に設けたスイッチで行うことを特徴とする請求項１に記載のテレビ視聴制御装置。
【請求項４】
前記サウンドデコーダにおける音声信号の切替え出力を外部に設けたスイッチで行うことを特徴とする請求項２に記載のテレビ視聴制御装置。
【請求項５】
前記ビデオデコーダは、前記パソコン本体上のＰＣＩバスと接続されており、前記パソコン本体の起動状態を前記ＰＣＩバス上の電源の有無によって検出することを特徴とする請求項１から請求項４のいずれかに記載のテレビ視聴制御装置。
【請求項６】
映像を出力するモニタと、
テレビ信号を受信して映像信号を出力するＴＶチューナモジュールと、
前記ＴＶチューナモジュールから入力された映像信号をパソコン本体または前記モニタへ切り替えて映像信号を出力するビデオデコーダと、
少なくとも前記ＴＶチューナモジュールおよび前記ビデオデコーダに電源を供給するＴＶ電源制御部とを有し、
前記パソコン本体には、ＰＣＩバスと前記ビデオデコーダとのインターフェースであるＰＣＩマルチメディアコントローラを備え、
前記ＴＶ電源制御部から前記ビデオデコーダへ電源供給されると前記ビデオデコーダは前記パソコン本体の起動の有無を検出し、前記パソコン本体が起動されている場合には映像信号を前記ＰＣＩマルチメディアコントローラに出力し、前記パソコン本体が起動されていない場合には映像信号を前記モニタに供給することを特徴とするテレビ視聴システム。
【請求項７】
音声を増幅するアンプと、
前記アンプに接続されたスピーカーと、
前記テレビ信号を受信して音声信号を出力するＴＶチューナモジュールと、
前記ＴＶチューナモジュールから入力された音声信号を前記パソコン本体または前記アンプへ切り替えて出力するサウンドデコーダと、
少なくとも前記サウンドデコーダに電源を供給するＴＶ電源制御部とを有し、
前記パソコン本体には、映像信号と同期がとられた音声信号を前記アンプに供給するサウンドコーデックと、
前記ＰＣＩバスと前記サウンドコーデックとのインターフェースであるサウンドコントローラとを備え、
前記サウンドコントローラは、前記パソコン本体が起動されている場合には音声信号を前記サウンドコーデックに出力し、前記パソコン本体が起動されていない場合には音声信号を前記アンプに供給する請求項６に記載のテレビ視聴システム。
【発明の詳細な説明】
【０００１】
【発明の属する技術分野】
本発明はパソコンのモニタを使用したテレビ視聴に関する。
【０００２】
【従来の技術】
近年、テレビを視聴できるパソコンが市場に出まわるようになっている。このようなパソコン（ノート型パソコンを含む）においては、ＴＶ機能を有する拡張ボードなどを搭載することでＴＶ機能を実現させている。しかし、この種の従来技術では、パソコン本体の電源を入れなければＴＶ機能を発揮させることができないため、ＴＶ視聴のみを目的とした場合であってもパソコン本体に電源を投入しなければならないので、消費電力が多くなる。
【０００３】
そこで、例えば、特開平６−１１０５９０号公報に記載されている「パーソナルコンピュータ」では、パソコンシステムとテレビシステムとの排他使用を行うことによって、この問題の解決を図っている。すなわち、リモコン装置にパソコンモードの指定が行われると、赤外線制御信号を発光し、これを受信したリモコン受信部は制御部に制御信号を送出する。制御部は信号を送出し電源リレーをパソコンモード側に切り換え、電源を演算処理部に接続する。一方、リモコン装置にテレビモードの指定が行われると、同様にして、制御部は電源リレーをテレビモード側に切り換え、電源を演算処理部からチューナカードに接続する。
【０００４】
【発明が解決しようとする課題】
しかしながら、上述した公報記載の技術では、パソコン本体の電源を入れなければテレビシステムは使用できないため、消費電力の軽減効果があっても、テレビを視聴するだけであるのに、パソコンの立上げに時間がかかってしまい、ユーザにじれったさを抱かせることになるという問題点がある。
【０００６】
したがって、本発明の目的は、テレビを視聴するだけの場合の立上げ時間を短縮したテレビ視聴制御装置およびテレビ視聴システムを提供することにある。
【０００８】
【課題を解決するための手段】
本発明のテレビ視聴制御装置は、映像を出力するモニタ（図１の６）と、テレビ信号を受信して映像信号を出力するＴＶチューナモジュール（図１の１）と、ＴＶチューナモジュールから入力された映像信号をパソコン本体またはモニタへ切り替えて映像信号を出力するビデオデコーダ（図１の２）と、少なくともＴＶチューナモジュールおよびビデオデコーダに電源を供給するＴＶ電源制御部（図１の１０）とを有し、ＴＶ電源制御部からビデオデコーダへ電源供給されるとビデオデコーダはパソコン本体の起動の有無を検出し、パソコン本体が起動されていない場合には映像信号をモニタに供給することを特徴とする。
【０００９】
本発明のテレビ視聴システムは、映像を出力するモニタ（図１の６）と、テレビ信号を受信して映像信号を出力するＴＶチューナモジュール（図１の１）と、ＴＶチューナモジュールから入力された映像信号をパソコン本体またはモニタへ切り替えて映像信号を出力するビデオデコーダ（図１の２）と、少なくともＴＶチューナモジュールおよびビデオデコーダに電源を供給するＴＶ電源制御部（図１の１０）とを有し、またパソコン本体には、ＰＣＩバスとビデオデコーダとのインターフェースであるＰＣＩマルチメディアコントローラ（図１の２１）を備え、ＴＶ電源制御部からビデオデコーダへ電源供給されるとビデオデコーダはパソコン本体の起動の有無を検出し、パソコン本体が起動されている場合には映像信号をＰＣＩマルチメディアコントローラに出力し、パソコン本体が起動されていない場合には映像信号をモニタに供給することを特徴とする。
【００１０】
また、上記のテレビ視聴制御装置またはテレビ視聴システムに、音声を増幅するアンプ（図１の４）と、アンプに接続されたスピーカー（図１の５）と、テレビ信号を受信して音声信号を出力するＴＶチューナモジュール（図１の１）と、ＴＶチューナモジュールから入力された音声信号をパソコン本体またはアンプへ切り替えて出力するサウンドデコーダ（図１の３）と、少なくともサウンドデコーダに電源を供給するＴＶ電源制御部（図１の１０）とを設け、ＴＶ電源制御部からビデオデコーダへ電源供給されるとビデオデコーダはパソコン本体の起動の有無を検出し、サウンドデコーダは、パソコン本体が起動されていない場合には音声信号をアンプに供給するようにしてもよい。
【００１１】
更に、パソコン本体の起動状態をパソコン本体のＰＣＩバス上の電源の有無によって検出するようにしてもよい。
【００１２】
【発明の実施の形態】
本発明のテレビ視聴制御装置は、パソコン本体の起動状態を監視して、パソコン本体が起動している場合には、パソコン本体側に映像信号を出力し、パソコン本体が起動していない場合には、パソコンのモニタに直接映像信号を出力する、という形で出力信号の切り替えを行う構成とすることにより、最小のシステム起動でテレビの視聴を可能としたものである。
【００１３】
【実施例】
次に、本発明の実施例について図面を参照しながら説明する。
【００１４】
本発明の第１の実施例を示す図１を参照すると、このテレビ視聴制御装置は、アンテナ２０からのテレビ信号を受信し、パソコン本体が起動しているか否かに応じて、テレビ信号をパソコン本体側に供給し、または供給せずに直接に視聴するシンプルＴＶシステム１００として具現化されている。
【００１５】
シンプルＴＶシステム１００は、アンテナ２０からのテレビ信号を受信するＴＶチューナモジュール１，ビデオデコーダ２，サウンドデコーダ３，アンプ４，スピーカ５，モニタ６，チャネルコントロールパネル７，２つのスイッチ８，９およびＴＶ電源制御部１０から構成される。ＰＣＩマルチメディアコントローラ２１，サウンドコントローラ２２，サウンドコーデック２３，サウンド電源制御部２４およびＰＣＩバス２５はパソコン本体側に属する。
【００１６】
ＴＶチューナモジュール１は、テレビの地上波信号を受信して映像信号１１および音声信号１２を出力する。ビデオデコーダ２は、入力された映像信号１１を信号処理して、そのときパソコン本体が起動されている状態ならＰＣＩマルチメディアコントローラ２１に映像信号１３、またパソコン本体が起動されていない状態ならモニタ６に映像信号１４を出力する。パソコン本体の起動状態は、パソコン本体側のＰＣＩバス２５上の、例えば電源線から得られる監視信号１９によってビデオデコーダ２に伝えられる。また、ビデオデコーダ２は、監視信号１９に応答してスイッチ信号１５をスイッチ８および９に出力する。
【００１７】
サウンドデコーダ３は、入力された音声信号１２を信号処理してアナログ信号の音声信号１６として出力する。スイッチ信号１５がパソコン本体の起動を示している場合には、スイッチ８はオン状態となって音声信号１６をサウンドコーデック２３に供給する。このときスイッチ９はオフ状態となり音声信号１６は直接にアンプ４に供給されることはない。一方、スイッチ信号１５がパソコン本体の起動を示していない場合には、スイッチ８はオフ状態、スイッチ９はオン状態となり音声信号１６は直接にアンプ４に供給される。このように、スイッチ８および９は、パソコン本体が起動していれば、音声信号１６をサウンドコーデック２３に、パソコン本体が起動していなければアンプ４に供給するように切り替わる。
【００１８】
アンプ４は音声信号１６またはサウンドコーデック２３からの音声信号１７を増幅し、外部出力機器であるスピーカ５はそれを音声として出力する。外部出力機器であるモニタ６はビデオデコーダ２からの映像信号１４、またはパソコン本体側からの映像信号（映像信号１３がパソコン本体で画像処理されてモニタ６に入力するが図示省略）を受け取り画面表示をする。
【００１９】
チャネルコントロールパネル７は、シンプルＴＶシステム１００の起動スイッチおよびチャネルボタンを搭載し、起動信号をＴＶ電源制御部１０，サウンド電源制御部２４に、チャネル信号をビデオデコーダ２にそれぞれ供給する。受信局の変更は、チャネルコントロールパネル７からの入力によってビデオデコーダ２がＴＶチューナモジュール１に対して行うことにより可能である。ＴＶ電源制御部１０はＴＶチューナモジュール１等に対する電源（図示省略）の供給を制御する。
【００２０】
なお、パソコン本体側のＰＣＩマルチメディアコントローラ２１はビデオデコーダ２とＰＣＩバス２５とのインタフェース、サウンドコントローラ２２はサウンドコーデック２３とＰＣＩバス２５とのインタフェースとしてそれぞれ機能する。サウンドコーデック２３は、ビデオデコーダ２からＰＣＩマルチメディアコントローラ２１に映像信号１３が供給された場合に、サウンドコントローラ２２を経てパソコン本体で映像信号と同期がとられた音声信号１７をアンプ４に供給する。サウンド電源制御部２４はアンプ４に対する電源（図示省略）の供給を制御する。
【００２１】
次に、本実施例の動作について説明する。
【００２２】
先ず、チャネルコントロールパネル７に搭載されている電源ボタンがオンされると、ＴＶ電源制御部１０とサウンド電源制御部２４に制御信号１８が入力され、ＴＶチューナモジュール１等の各デバイスに電源が供給される。このときビデオデコーダ２は電源オン時に監視信号１９の状態によって、出力映像信号の内部パスの切り替え動作を行い、シンプルＴＶシステム１００のマスタデバイスとなる。テレビの地上波信号はＴＶチューナモジュール１によって受信され、ＴＶチューナモジュール１は、映像信号１１をビデオデコーダ２に、音声信号１２をサウンドデコーダ３にそれぞれ出力する。
【００２３】
監視信号１９がパソコン本体の起動を示している場合には、ビデオデコーダ２は映像信号１１を信号処理した映像信号１３をＰＣＩマルチメディアコントローラ２１に出力する。ＰＣＩマルチメディアコントローラ２１は、映像信号１３をパソコン本体に出力し、映像信号１３はパソコン本体で画像処理された後にモニタ６に入力し表示される。また、サウンドデコーダ３は、入力した音声信号１２を信号処理した音声信号１６をスイッチ８，９に出力する。このとき、スイッチ８はオン状態、スイッチ９はオフ状態であるため、音声信号１６はスイッチ８を経由してサウンドコーデック２３に入力する。サウンドコーデック２３はパソコン本体で映像信号との同期がとられた音声信号を受け取る。サウンドコーデック２３はその音声信号１７をアンプ４に出力する。このようにして、ユーザはモニタ６およびスピーカ５により、パソコン本体で処理されたテレビ信号を視聴することができる。この場合は、パソコン本体でテレビの視聴がされることになる。
【００２４】
一方、監視信号１９がパソコン本体の起動を示していない場合には、ビデオデコーダ２は映像信号１１を信号処理した映像信号１４をモニタ６に直接に出力する。また、サウンドデコーダ３は、入力した音声信号１２を信号処理した音声信号１６をスイッチ８，９に出力する。このとき、スイッチ８はオフ状態、スイッチ９はオン状態であるため、音声信号１６はスイッチ９を経由してアンプ４に直接に入力する。この場合には、パソコン本体の起動を必要としないため、ユーザはモニタ６およびスピーカ５により、迅速にテレビを視聴することができる。また、パソコン本体の電源は投入されないため、パソコンの消費電力を軽減できる。
【００２５】
上述した実施例では、映像信号１１の出力切替えをビデオデコーダ２の内部で行い、音声信号１６の出力切替えをデバイス外部のスイッチ８，９により実現させているが、このスイッチング方式を変更してもよい。すなわち、図２に示すように、映像信号１１の出力切替えをデバイス外部のスイッチ８Ａ，９Ａにより実現させ、音声信号１６の出力切替えをサウンドデコーダ３の内部で行うのである。
【００２６】
更に、映像信号１１の出力切替え、および音声信号１６の出力切替えを共に外部のスイッチで行うように構成してもよい。
【００２７】
更に、映像信号１１の出力切替えをビデオデコーダ２の内部で行い、音声信号１６の出力切替えをサウンドデコーダ３の内部で行うように構成してもよい。
【００２８】
【発明の効果】
本発明の効果は、テレビを視聴するだけの場合には、パソコン本体から独立してＴＶシステムを動作させることができるため、テレビ視聴制御装置の起動時間を大幅に短縮することが可能になるということである。
【図面の簡単な説明】
【図１】本発明の第１の実施例のブロック図
【図２】本発明の第２の実施例のブロック図
【符号の説明】
１        ＴＶチューナモジュール
２        ビデオデコーダ
３        サウンドデコーダ
４        アンプ
５        スピーカ
６        モニタ
７        チャネルコントロールパネル
８        スイッチ
９        スイッチ
１０      ＴＶ電源制御部
２０      アンテナ
２１      ＰＣＩマルチメディアコントローラ
２２      サウンドコントローラ
２３      サウンドコーデック
２４      サウンド電源制御部
２５      ＰＣＩバス
８Ａ      スイッチ
９Ａ      スイッチ
１００    シンプルＴＶシステム
【図１】
0003792499.tif 000002
【図２】
0003792499.tif 000003